【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
以下を含む、シース流体中に粒子を浮遊させるためのシースフロー構造：
該シース流体を運ぶための一次シースフローチャネル；
該一次シースフローチャネルを通って運ばれる該シース流体中に該粒子を注入するための試料注入口；
該粒子周囲の該シース流体を少なくとも第一の方向に集束させるための一次集束領域；および
該粒子周囲の該シース流体を、該第一の方向と異なる少なくとも第二の方向に集束させるための、該一次集束領域より下流に設けられた二次集束領域。
【請求項２】
一次集束領域が、シース流体および粒子を、一次シースフローチャネルの第一の側壁、第二の側壁、および第三の側壁から離れるように集束させる、請求項1記載のシースフロー構造。
【請求項３】
二次集束領域が、シース流体および粒子を、一次シースフローチャネルの第四の側壁から離れるように集束させる、請求項2記載のシースフロー構造。
【請求項４】
第四の側面が一次シースフローチャネルの上壁である、請求項3記載のシースフロー構造。
【請求項５】
流体が中を流れる方向に沿って一次シースフローチャネルをテーパさせることによって一次集束領域が形成される、請求項1記載のシースフロー構造。
【請求項６】
二次集束領域がシース流体を一次シースフローチャネルに注入し、これにより粒子周囲のシース流体を集束させる、請求項1記載のシースフロー構造。
【請求項７】
二次集束領域が、二次シース流体を運ぶための第一の二次シースチャネルを含む、請求項6記載のシースフロー構造。
【請求項８】
二次集束領域が、二次シース流体を運ぶための第二の二次シースチャネルをさらに含み、第一の二次シースチャネルが一次シースフローチャネルの第一の側面に設けられ、且つ、該第二の二次シースチャネルが該一次シースフローチャネルの第二の側面に設けられる、請求項7記載のシースフロー構造。
【請求項９】
第一の二次シースチャネルが、一次シースフローチャネル内のシース流体の一部を該第一の二次シースチャネルに分流させるための、該一次シースフローチャネルと交差する注入口を有する、請求項7記載のシースフロー構造。
【請求項１０】
第一の二次シースチャネルが、一次シースフローチャネルとは別の注入口を有する、請求項7記載のシースフロー構造。
【請求項１１】
一次シースフローチャネルが一次集束領域の上流で第一のサブチャネルと第二のサブチャネルとに分かれる、請求項1記載のシースフロー構造。
【請求項１２】
一次集束領域に注入された粒子をシース流体で囲むため、第一のサブチャネルおよび第二のサブチャネルが該一次集束領域で収束する、請求項11記載のシースフロー構造。
【請求項１３】
一次シースフローチャネルがマイクロチャネルである、請求項1記載のシースフロー構造。
【請求項１４】
シースフロー構造がマイクロ流体装置である、請求項1記載のシースフロー構造。
【請求項１５】
以下を含む、シース流体中に粒子を浮遊させるためのシースフロー構造：
該シース流体を運ぶための一次シースフローチャネルを含む第一の基質層；
該第一の基質層に積層された第二の基質層であって、該一次シースフローチャネルに該シース流体を導入するための第一のシース注入口、および、一次集束領域内の該一次シースフローチャネルに該粒子を提供して、少なくとも1つの側面が該シース流体で囲まれた該粒子を含むシースフローを形成するための、該第一のシース注入口より下流の試料注入口を含む、第二の基質層；ならびに
該第一の基質層および該第二の基質層のうちひとつに形成された、該一次シースフローチャネルと連絡する第一の二次シースチャネルであって、該シース流体の一部を該一次シースフローチャネルから分流する第一の二次シースチャネル。
【請求項１６】
第一の二次シースチャネルが、第一のシース注入口と試料注入口との間の領域で一次シースフローチャネルと交差する、請求項15記載のシースフロー構造。
【請求項１７】
第一の二次シースチャネルが、シース流体の分流された一部を一次集束領域より下流の二次集束領域に提供し、該シース流体の該分流された一部が一次シースフローチャネルに再入してシースフロー中の粒子を集束させる、請求項15記載のシースフロー構造。
【請求項１８】
第一の二次シースチャネルが第二の基質層に形成される、請求項15記載のシースフロー構造。
【請求項１９】
一次シースフローチャネルからシース流体の別の一部を分流させるための第二の二次シースチャネルをさらに含み、第一の二次シースチャネルが該一次シースフローチャネルの第一の側面に提供され、且つ、該第二の二次シースチャネルが該一次シースフローチャネルの第二の側面に提供される、請求項15記載のシースフロー構造。
【請求項２０】
粒子周囲のシースフローを集束させるための二次集束領域をさらに含む、請求項15記載のシースフロー構造。
【請求項２１】
流体が中を流れる方向に沿って一次シースフローチャネルをテーパさせることによって一次集束領域が形成される、請求項15記載のシースフロー構造。
【請求項２２】
試料注入口が、一次シースフローチャネルの比較的幅の広い部分と交差する、請求項21記載のシースフロー構造。
【請求項２３】
一次シースフローチャネルが一次集束領域の上流で第一のサブチャネルと第二のサブチャネルとに分かれる、請求項15記載のシースフロー構造。
【請求項２４】
一次集束領域に注入された粒子をシース流体で囲むため、第一のサブチャネルおよび第二のサブチャネルが該一次集束領域で収束する、請求項21記載のシースフロー構造。
【請求項２５】
一次シースフローチャネルがマイクロチャネルである、請求項15記載のシースフロー構造。
【請求項２６】
シースフロー構造がマイクロ流体装置である、請求項15記載のシースフロー構造。
【請求項２７】
以下を含む、シースフロー装置のチャネル内のシース流体中に浮遊する粒子を集束させるための集束領域：
該シース流体中に浮遊する該粒子を運ぶための一次フローチャネル；および
該粒子の上方から該一次フローチャネルに該シース流体を注入して、該一次フローチャネルの上壁から離れるように該粒子を集束させるための、該一次フローチャネルと交差する第一の二次フローチャネル。
【請求項２８】
以下をさらに含む、請求項27記載の集束領域：
シース流体を注入して一次フローチャネル内の粒子を集束させるための、第一の二次フローチャネルと反対側で該一次フローチャネルと交差する第二の二次フローチャネル。
【請求項２９】
一次フローチャネル内のシース流体に試料を注入して、該シース流体の一部を第一の二次フローチャネルに分流させるため、該第一の二次フローチャネルが試料注入口より上流の領域で該一次フローチャネルと交差する、請求項27記載の集束領域。
【請求項３０】
一次フローチャネルがマイクロチャネルである、請求項27記載の集束領域。
【請求項３１】
粒子の少なくとも2つの側面をシース流体で囲む方法であって、以下の段階を含む方法：
該シース流体を一次シースフローチャネルに注入する段階；
該シース流体の一部を、分岐するシースチャネルに分流させる段階；
該粒子を該一次シースフローチャネルに注入し、これにより該シース流体中に該粒子を浮遊させてシースフローを形成する段階；および
該シース流体の該分流された一部を該シースフローに注入して該シース流体中の該粒子を集束させる段階。
【請求項３２】
粒子の少なくとも2つの側面をシース流体で囲む方法であって、以下の段階を含む方法：
一次シースフローチャネルを通して該シース流体を運ぶ段階；
該一次シースフローチャネルを通して運ばれた該シース流体に該粒子を注入する段階；
該粒子周囲の該シース流体を少なくとも第一の方向に集束させる段階；および
該粒子周囲の該シース流体を、該第一の方向と異なる少なくとも第二の方向に集束させる段階。
【請求項３３】
以下を含むシースフローシステム：
基質上で並列に作動する複数のシースフロー構造であって、各々が以下を含むシースフロー構造：
シース流体を運ぶための一次シースフローチャネル；
該一次シースフローチャネルを通して運ばれた該シース流体に該粒子を注入するための試料チャネル；
該粒子周囲の該シース流体を少なくとも第一の方向に集束させるための一次集束領域；および
該粒子周囲の該シース流体を、該第一の方向と異なる少なくとも第二の方向に集束させるための、該一次集束領域より下流に設けられた二次集束領域。
【請求項３４】
複数のシースフロー構造の各試料チャネルに少なくとも1つの粒子を提供するための試料注入口をさらに含む、請求項33記載のシースフローシステム。
【請求項３５】
システムの各一次シースフローチャネルにシース流体を提供するため複数の分枝へと分岐するシース注入口をさらに含む、請求項33記載のシースフローシステム。
【請求項３６】
少なくとも1つの一次シース流体チャネルにシース流体を提供するための少なくとも1つのシース流体注入口をさらに含み、且つ、試料注入口が該シース流体注入口の上流に設けられる、請求項34記載のシースフローシステム。
【請求項３７】
各シースフロー構造が、一次シースフローチャネルにシース流体を提供するためのシース注入口をさらに含む、請求項33記載のシースフローシステム。
【請求項３８】
2つのマイクロ流体チップを一緒に積層することによって形成される、請求項33記載のシースフローシステム。
【請求項３９】
少なくとも1つの一次シースフローチャネルが第一のサブチャネルおよび第二のサブチャネルを含む、請求項33記載のシースフローシステム。
【請求項４０】
一次集束領域内に注入された粒子をシース流体中に浮遊させるため、第一のサブチャネルおよび第二のサブチャネルが一次集束領域で収束する、請求項39記載のシースフローシステム。
【請求項４１】
各二次集束領域が二次シース流体を一次シースフローチャネルに注入して粒子を集束させる、請求項33記載のシースフローシステム。
【請求項４２】
関連する一次シースフローチャネル内のシース流体の一部を、二次集束領域で該一次シースフローチャネルと交差する二次シースチャネルに分流させることによって、二次シース流体が提供される、請求項41記載のシースフローシステム。
【請求項４３】
試料注入口が、試料注入部位において一次シースフローチャネルと交差する、請求項1記載のシースフロー構造。
【請求項４４】
一次集束領域が、試料注入部位の下流に延びる、請求項1記載のシースフロー構造。